(57)【要約】【課題】  包装付き成形米飯食品に使用するシート体内のシート状食品が湿気ることを防止する。【解決手段】  短手方向の分断手段１１を有する表側フィルム１０に、一対のフィルム片１３、１４により表側フィルムを覆うと共に表側フィルムの分断手段に位置する箇所にフィルム片同士の重なり部を設けた裏側フィルムを重ね合わせ、内部にシート状食品Ｎを収容するための袋部を構成するように表側フィルムと裏側フィルムをヒートシールにより融着した成形米飯食品を包装するためのシート体にして、裏側フィルムの一対のフィルム片の重なり部において、裏側フィルムの一方のフィルム片端に帯状片１５を一端が開口して隙間Ｋを構成するようにヒートシールにより融着して上記の隙間に他方のフィルム片端を挿入し、隙間に挿入される側のフィルム片の挿入部分の表裏面、又は隙間を構成する側のフィルム片及び帯状片の隙間部分の面を非ヒートシール面１６とする。【選択図】      図１
2006021802.tif 000002
【特許請求の範囲】
【請求項１】
短手方向に２分割するための分断手段を有する表側フィルムに、短手方向に２分割した一対のフィルム片により表側フィルムの全部又は一部を覆うと共に表側フィルムの分断手段に位置する箇所にフィルム片同士の重なり部を設けた裏側フィルムを重ね合わせ、内部にシート状食品を収容するための袋部を構成するように表側フィルムと裏側フィルムをヒートシールにより融着した成形米飯食品を包装するためのシート体にして、裏側フィルムの一対のフィルム片の重なり部において、裏側フィルムの一方のフィルム片端に帯状片を一端が開口して隙間を構成するようにヒートシールにより融着して上記の隙間に他方のフィルム片端を挿入したシート体において、隙間に挿入される側のフィルム片の挿入部分の表面又は表裏面、又は隙間を構成する側のフィルム片及び帯状片の隙間部分の面を非ヒートシール面としたことを特徴とする成形米飯食品包装用シート体。
【請求項２】
隙間に挿入される側のフィルム片の挿入部分の表面又は表裏面に表面が非シートヒール性を有する帯状のテープを積層することにより、挿入部分の表裏面を非ヒートシール有する面とする手段とした請求項１記載の成形米飯食品包装用シート体。
【請求項３】
下記(1) の構成からなるシート体により製袋される包装体と、これに包装される成形米飯食品からなり、成形米飯食品を載せた状態でシート体を短手側の両端辺同士が向き合うようにコ字状に折り曲げると共に、長手側の両端辺を成形米飯食品の側壁側に折り曲げて互いに接合することにより上方を開口した直方体に製袋し、更に開口において向き合ったシート体の短手側の両端辺同士をヒートシールにより融着することにより封止したことを特徴とする包装付き成形米飯食品。
(1) 短手方向に２分割するための分断手段を有する表側フィルムに、短手方向に２分割した一対のフィルム片により表側フィルムの全部又は一部を覆うと共に表側フィルムの分断手段に位置する箇所にフィルム片同士の重なり部を設けた裏側フィルムを重ね合わせ、内部にシート状食品を収容するための袋部を構成するように表側フィルムと裏側フィルムをヒートシールにより融着したシート体にして、裏側フィルムの一対のフィルム片の重なり部において、裏側フィルムの一方のフィルム片端に帯状片を一端が開口して隙間を構成するようにヒートシールにより融着して上記の隙間に他方のフィルム片端を挿入したシート体において、隙間に挿入される側のフィルム片の挿入部分の表面又は表裏面、又は隙間を構成する側のフィルム片及び帯状片の隙間部分の面を非ヒートシール面としたシート体。
【発明の詳細な説明】
【技術分野】
【０００１】
この発明は、おにぎりなどの成形米飯食品を包装するシート体に関し、特に密閉性に意を払ったシート体及びこれを使用した包装付き成形米飯食品に関する。
【背景技術】
【０００２】
おにぎりを包装するためのプラスチックフィルム製の包装材として、図９に示すように短手方向に２分割するためのカットテープ５３からなる分断手段を有する長方形の表側フィルム６０に、短手方向に２分割した一対のフィルム片６１、６２により表側フィルムを覆うと共に表側フィルムの分断手段に位置する箇所にフィルム片同士の重なり部を設けた裏側フィルムを重ね合わせ、内部に海苔Ｎなどのシート状食品を収容するための袋部を構成するように表側フィルムと裏側フィルムをヒートシール部５０Ｓにおいて融着したシート体５０が広く使用されている。
【０００３】
前記の包装付き成形米飯食品においては、包装体を構成するシート体は内部に海苔などのシート状食品Ｎを収容するための袋部を有するものであるが、おにぎりＲから蒸散する水分（蒸気）がシート体５０のフィルム片６１、６２同士の重なり部から袋部内に侵入し、収容されているシート状食品Ｎを湿らせ、これが海苔である場合には海苔特有のぱりっとした食感を損なう問題があった。
【０００４】
そこで、前記シート体において裏側フィルムの一対のフィルム片の重なり部において、裏側フィルムの一方のフィルム片６２端に帯状片６３を一端が開口して隙間Ｋ１を構成するように固着して上記の隙間に他方のフィルム片６１端を挿入することにより、フィルム片同士の重なり部の気密性を向上させることを企図した発明が提案されている。
【０００５】
一方、前記のシート体５０を用いた包装付き成形米飯食品として、図９に示すようにおにぎりＲを載せた状態でシート体を短手側の両端辺５０Ａ、５０Ａ同士が向き合うようにコ字状に折り曲げると共に、長手側の両端辺５０Ｂ、５０Ｂを成形米飯食品の側壁側に折り曲げて互いに接合することにより上方を開口した直方体に製袋し、更に開口において向き合ったシート体の短手側の両端辺５０Ａ、５０Ａ同士をヒートシール部ＨＳにおいて融着したものが提案されている。
【特許文献１】実願平３−３５０６３（実開平６−８２６４）のＣＤ−ＲＯＭ
【特許文献２】特許第３０９８２２６号公報
【特許文献３】特開２００４−１５４０６４公報
【発明の開示】
【発明が解決しようとする課題】
【０００６】
気密性の向上を企図した前記の従来技術においては、フィルム片６２と帯状片６３により構成される隙間Ｋ１内に、他方のフィルム片６１端が完全に挿入されることにより初めて完全な気密性が確保されることはいうまでもない。
【０００７】
ところで、現実の製造工程においては帯状片６３はヒートーシールによる融着によりフィルム片６２に固着されるが、その融着は事前に帯状片６３とフィルム片６２間に他方のフィルム片６１端を挿入した状態で行われる。即ち、図１２の（Ａ）に示すように帯状片６３の他方のフィルム片６１端が外れた位置にヒートシール部ＳＳを配してヒートーシールローラＲ１の当接により融着を行う。この場合、加工精度に照らした場合、ヒートーシールローラＲ１を他方のフィルム片の先端６１Ｅの直近まで近接して当接することは困難であり、誤って他方のフィルム片まで融着してしまうおそれがあるので、ヒートシール部ＳＳは他方のフィルム片の先端からはるかに離れた位置に設けざるを得なかった。その結果、図１０に示すように隙間Ｋ１内において他方のフィルム片の先端６１Ｅから隙間の突き当たり部を構成するヒートーシール部ＳＳの開始位置までに間隙ＳＸが生じて気密性を損なう問題があった。
【課題を解決するための手段】
【０００８】
この発明は前記の問題を解消するシート体を提供することを目的として創作されたものであり、短手方向に２分割するための分断手段を有する表側フィルムに、短手方向に２分割した一対のフィルム片により表側フィルムの全部又は一部を覆うと共に表側フィルムの分断手段に位置する箇所にフィルム片同士の重なり部を設けた裏側フィルムを重ね合わせ、内部にシート状食品を収容するための袋部を構成するように表側フィルムと裏側フィルムをヒートシールにより融着した成形米飯食品を包装するためのシート体にして、裏側フィルムの一対のフィルム片の重なり部において、裏側フィルムの一方のフィルム片端に帯状片を一端が開口して隙間を構成するようにヒートシールにより融着して上記の隙間に他方のフィルム片端を挿入したシート体において、隙間に挿入される側のフィルム片の挿入部分の表面又は表裏面、又は隙間を構成する側のフィルム片及び帯状片の隙間部分の面を非ヒートシール面としたことを特徴とする。
【０００９】
又、この発明の包装付き成形米飯食品は前記シート体を用いて、成形米飯食品を載せた状態でシート体を短手側の両端辺同士が向き合うようにコ字状に折り曲げると共に、長手側の両端辺を成形米飯食品の側壁側に折り曲げて互いに接合することにより上方を開口した直方体に製袋し、更に開口において向き合ったシート体の短手側の両端辺同士をヒートシールにより融着することにより封止したことを特徴とする。
【発明の効果】
【００１０】
この発明のシート体によれば、裏側フィルムの一対のフィルム片の重なり部において、隙間に挿入される側のフィルム片の挿入部分の表面又は表裏面、又は隙間を構成する側のフィルム片及び帯状片の隙間部分の面を非ヒートシール面としたので、ヒートーシールによる融着によりフィルム片に帯状片６３を溶着する際に他方のフィルム片の挿入部分は融着されない作用を生じる。よって、ヒートーシールローラを他方のフィルム片の先端の直近まで近接して当接した場合に他方のフィルム片が位置する箇所にヒートーシールローラが当接してもその部分は溶着されないので、他方のフィルム片の先端の直近にヒートーシール部を配することが可能となり、他方のフィルム片の先端から隙間の突き当たり部までの間隙を無くすことにより完全な気密性を確保することができる効果を奏する。
【発明を実施するための最良の形態】
【００１１】
図１乃至図２はこの発明のシート体１の構成を示す図である。このシート体１は裏面をヒートシール層とした表側フィルム１０と裏側フィルム１３、１４を、内部にシート状食品を収容するための袋部を構成するように重合した構成からなる。表側フィルム１０は長方形からなり、短手方向に２分割するための帯状の切り取りによる分断手段を有する。この実施例においては分断手段として表側フィルム１０の裏面に帯状のテープ１１を積層し、上記テープ１１の表面を非ヒートシール面としている。この実施例においては帯状のテープ１１を従来のカットテープに比し幅広とすると共に適度の腰を有する素材により構成することにより、引き裂きにあたっての指先でのテープ端の探索を容易にしている。又、分断手段（帯状のテープ）の引き上げ開始時における引き裂きを容易にするために、表側フィルムの一端の分断手段の開始箇所の左右に一対の切り込み１２、１２を設けている。
【００１２】
裏側フィルムは包装時におにぎりＲに接する側のフィルムであり、表側フィルム１０の全部又は一部を覆う形状に短手方向に２分割した一対のフィルム片１３及び１４により構成され、これらのフィルム片は表側フィルムの分断手段に位置する箇所において一部分が重なる重なり部Ｋを構成する。
【００１３】
表側フィルム１０と裏側フィルム１３、１４は、裏側フィルムのフィルム片同士の重なり部を除いた周縁にヒートシール部Ｓ１を設けて融着、重合されることにより内部にシート状食品Ｎを収容するための袋部を構成する。この実施例においてはシート状食品Ｎとして海苔を想定している。
【００１４】
前記の裏側フィルムの一対のフィルム片１３及び１４の重なり部において、裏側フィルムの一方のフィルム片１３端に帯状片１５を一端が開口して隙間Ｋを構成するようにヒートシールにより融着する。この発明においては隙間Ｋに挿入される側のフィルム片１４の挿入部分の表裏面、又は隙間を構成する側のフィルム片１３及び帯状片１５の隙間部分の面を非ヒートシール面とすることを特徴とするが、この実施例においては隙間Ｋに挿入される側のフィルム片１４の挿入部分の表裏面自体を非ヒートシール面１６としている。
【００１５】
図３は前記の非ヒートシール面に関する異なる実施例を示す図であり、ここでは隙間Ｋに挿入される側のフィルム片１４の挿入部分の表裏面に表面が非シートヒール性を有する帯状のテープ１７、１７を積層することにより、挿入部分の表裏面を非ヒートシール有としている。
【００１６】
尚、以上の実施例においては隙間Ｋに挿入される側のフィルム片１４の挿入部分の表裏面を共に非ヒートシール面としているが、実際には後記するヒートシールローラＲの熱はフィルム片１４の挿入部分の裏面まで溶融するに至らない場合が多いので、状況によっては非ヒートシール面とするのはフィルム片１４の挿入部分の表面（帯状片１５に接する側）のみでもよい。  
【００１７】
図１２の（Ｂ）はこの実施例のシート体１の重なり部における、裏側フィルムの一方のフィルム片１３と帯状片１５の融着状態を示す概念図である。この実施例においては、ヒートシールローラＲとして企図するヒートシール部Ｓより幅広のものを採用し、他方のフィルム片１４端が位置する隙間Ｋ箇所まで当接させるが、上記箇所は非ヒートシール面としているのでヒートシールローラにより融着することなく、他方のフィルム片の先端１４Ｅの直近にヒートーシール部Ｓを配することが可能となる。
【００１８】
図４乃至図８はこの発明のシート体を用いた包装付き成形米飯食品の一例の製造過程を示す図であり、ここでは成形米飯食品として三角形状のおにぎりを例示している。図中符号１はシート体であり、ここにおにぎりＲを当接した状態で折り目２Ｂ、２Ｂを境として包装体の正面部Ａ、底襠部Ｂ、背面部Ｃを構成する領域がおにぎりの正面に密接するようにコ字状に折り曲げられ、その後、折り目２Ａ、２Ａを境として包装体の側襠部Ｄ、Ｄを構成する領域３、３がおにぎり側に折り曲げられる。又、その際に包装体の側襠部Ｄ、Ｄを構成する領域３、３と折り目２Ａに挟まれる領域４が折り目２Ｂ、２Ｂ及び２Ｃ、２Ｃを境として折り畳まれて、領域３、３の裏面に重合される。
【００１９】
以上の過程により上方を開口した直方体からなる包装体が得られ、側襠部Ｄ、Ｄを構成する領域３、３と、折り畳まれてその裏面に重合される領域４がヒートシール部Ｓ２において同時に融着されると共に、領域３、３同士もヒートシールされる（図６参照）。
【００２０】
次に、側襠部Ｄ、Ｄを折り目５Ａが包装体内方に突出するように内方に折り込みながら正面部Ａと背面部Ｃを開口において近接させ（図７参照）、更に開口において向き合ったシート体１の短手側の両端辺同士をヒートシール部Ｓにおいて融着して封止することにより一連の包装は完了する（図８参照）。
【図面の簡単な説明】
【００２１】
【図１】この発明のシート体の分解斜視図。
【図２】同上、断面図。
【図３】この発明のシート体の異なる実施例の分解斜視図。
【図４】この発明の装付き成形米飯食品の製造過程を示す斜視図。
【図５】同上、製造過程を示す斜視図。
【図６】同上、製造過程を示す斜視図。
【図７】同上、製造過程を示す斜視図。
【図８】この発明の包装付き成形米飯食品の斜視図。
【図９】従来技術の成形米飯食品のシート体の分解斜視図。
【図１０】従来技術の包装付き成形米飯食品の斜視図。
【図１１】同上、断面図。
【図１２】この発明と従来技術の作用の対比を図示した構成図。
【符号の説明】
【００２２】
Ｒ            成形米飯食品
Ｎ            シート状食品
Ｓ１          ヒートーシール部
Ｓ２          ヒートーシール部
１            シート体
１０          表側フィルム
１２          帯状のテープ
１３          （裏側フィルムを構成する）フィルム片
１４          （裏側フィルムを構成する）フィルム片
１５          帯状片
１６          非ヒートシール面
【図１】
2006021802.tif 000003
【図２】
2006021802.tif 000004
【図３】
2006021802.tif 000005
【図４】
2006021802.tif 000006
【図５】
2006021802.tif 000007
【図６】
2006021802.tif 000008
【図７】
2006021802.tif 000009
【図８】
2006021802.tif 000010
【図９】
2006021802.tif 000011
【図１０】
2006021802.tif 000012
【図１１】
2006021802.tif 000013
【図１２】
2006021802.tif 000014